【手続補正書】
【提出日】平成29年1月26日(2017.1.26)
【手続補正１】
【補正対象書類名】明細書
【補正対象項目名】０００７
【補正方法】変更
【補正の内容】
【０００７】
そこで、本発明は、複数のページからなる文書データを区分した状態で第１のサーバから第２のサーバに保存させる際に、サーバにかかる負荷を軽減することのできる仕組みを提供することを目的とする。
【手続補正２】
【補正対象書類名】明細書
【補正対象項目名】０００８
【補正方法】変更
【補正の内容】
【０００８】
本発明は、第１のサーバ装置と第２のサーバ装置とが通信可能に設けられた情報処理システムであって、前記第１のサーバ装置は、印刷を行うためのデータである印刷データを文書データに変換する変換手段と、前記文書データのページを区分するための情報である区分情報を生成する区分情報生成手段と、を備え、前記第２のサーバ装置は、前記変換手段で変換された前記文書データと、前記区分情報生成手段で生成された前記区分情報とを、前記第１のサーバ装置から取得する取得手段と、前記区分情報生成手段で生成された前記区分情報に基づいて、前記取得手段で取得される前記文書データを複数に区分した文書データである区分データを生成する区分データ生成手段とを備えることを特徴とする。
【手続補正３】
【補正対象書類名】明細書
【補正対象項目名】０００９
【補正方法】変更
【補正の内容】
【０００９】
本発明によれば、複数のページからなる文書データを区分した状態で第１のサーバから第２のサーバに保存させる際に、サーバにかかる負荷を軽減することのできる仕組みを提供することができる。
【手続補正４】
【補正対象書類名】特許請求の範囲
【補正対象項目名】全文
【補正方法】変更
【補正の内容】
【特許請求の範囲】
【請求項１】
第１のサーバ装置と第２のサーバ装置とが通信可能に設けられた情報処理システムであって、
前記第１のサーバ装置は、
印刷を行うためのデータである印刷データを文書データに変換する変換手段と、
前記文書データのページを区分するための情報である区分情報を生成する区分情報生成手段と、を備え、
前記第２のサーバ装置は、
前記変換手段で変換された前記文書データと、前記区分情報生成手段で生成された前記区分情報とを、前記第１のサーバ装置から取得する取得手段と、
前記区分情報生成手段で生成された前記区分情報に基づいて、前記取得手段で取得される前記文書データを複数に区分した文書データである区分データを生成する区分データ生成手段と
を備えることを特徴とする情報処理システム。
【請求項２】
前記第２のサーバ装置は、
前記文書データから前記区分情報が示すページを抽出する抽出手段を更に備え、
前記区分データ生成手段は、前記抽出手段で抽出したページをコピーすることにより、区分データを生成すること
を特徴とする請求項１に記載の情報処理システム。
【請求項３】
前記第１のサーバ装置は、
前記印刷データを記憶する第１の記憶手段を更に備え、
前記第２のサーバ装置は、
前記区分データ生成手段で生成された複数の区分データを保存する第２の記憶手段を更に備えることを特徴とする請求項１または２に記載の情報処理装置。
【請求項４】
前記第１の記憶手段は、印刷データのページに含まれる文字列を参照するための情報である領域情報も記憶しており、
前記区分情報生成手段は、前記領域情報をもとに前記印刷データに含まれる文字列を参照することによって、区分情報を生成すること
を特徴とする請求項３に記載の情報処理システム。
【請求項５】
前記印刷データの複数のページについて、前記領域情報が示す前記文字列が互いに異なるか否かを判定する判定手段と、
前記区分情報生成手段は、前記判定手段で前記文字列が互いに異なると判定された場合には、前記複数のページを別々の区分データとして区別するよう、前記区分情報を生成すること
を特徴とする請求項４に記載の情報処理システム。
【請求項６】
前記区分データのファイル名を、前記領域情報が示す前記文字列に基づいたファイル名として、前記区分データを保存する区分データ保存手段
を更に備えることを特徴とする請求項４または５に記載の情報処理システム。
【請求項７】
前記領域情報は、前記印刷データの行およびカラムの情報であること
を特徴とする請求項４乃至６のいずれか１項に記載の情報処理システム。
【請求項８】
前記文書データはＰＤＦデータであることを特徴とする請求項１乃至７のいずれか１項に記載の情報処理システム。
【請求項９】
第１のサーバ装置と第２のサーバ装置とが通信可能に設けられた情報処理システムの制御方法であって、
前記第１のサーバ装置の変換手段が、印刷を行うためのデータである印刷データを文書データに変換する変換ステップと、
前記第１のサーバ装置の区分情報生成手段が、前記印刷データから、前記文書データのページを区分するための情報である区分情報を生成する区分情報生成ステップと、を備え、
前記第２のサーバ装置の取得手段が、前記変換ステップで変換された前記文書データと、前記区分情報生成ステップで生成された前記区分情報とを、前記第１のサーバ装置から取得する取得ステップと、
前記第２のサーバ装置の区分データ生成手段が、前記区分情報生成ステップで生成された前記区分情報に基づいて、前記取得ステップで取得される前記文書データを複数に区分した文書データである区分データを生成する区分データ生成ステップとを備えることを特徴とする情報処理システムの制御方法。
【請求項１０】
第１のサーバ装置と第２のサーバ装置とが通信可能に設けられた情報処理システムで実行可能なプログラムであって、
前記第１のサーバ装置を、
印刷を行うためのデータである印刷データを文書データに変換する変換手段と、
前記印刷データから、前記文書データのページを区分するための情報である区分情報を生成する区分情報生成手段として機能させ、
前記第２のサーバ装置を、
前記変換手段で変換された前記文書データと、前記区分情報生成手段で生成された前記区分情報とを、前記第１のサーバ装置から取得する取得手段と、
前記区分情報生成手段で生成された前記区分情報に基づいて、前記取得手段で取得される前記文書データを複数に区分した文書データである区分データを生成する区分データ生成手段として機能させることを特徴とするプログラム。
【請求項１１】
文書データと、区分情報とを第１のサーバ装置から取得する取得手段と、前記区分情報に基づいて前記文書データを複数に区分した文書データである区分データを生成する区分データ生成手段とを備える第２のサーバ装置と通信可能な第１のサーバ装置であって、
印刷を行うためのデータである印刷データを文書データに変換する変換手段と、
前記印刷データから、前記文書データのページを区分するための情報である区分情報を生成する区分情報生成手段と
を備えることを特徴とする第１のサーバ装置。
【請求項１２】
文書データと、区分情報とを第１のサーバ装置から取得する取得手段と、前記区分情報に基づいて前記文書データを複数に区分した文書データである区分データを生成する区分データ生成手段とを備える第２のサーバ装置と通信可能な第１のサーバ装置の制御方法であって、
前記第１のサーバ装置の変換手段が、印刷を行うためのデータである印刷データを文書データに変換する変換ステップと、
前記第１のサーバ装置の区分情報生成手段が、前記印刷データから、前記文書データのページを区分するための情報である区分情報を生成する区分情報生成ステップと
を備えることを特徴とする第１のサーバ装置の制御方法。
【請求項１３】
文書データと、区分情報とを第１のサーバ装置から取得する取得手段と、前記区分情報に基づいて前記文書データを複数に区分した文書データである区分データを生成する区分データ生成手段とを備える第２のサーバ装置と通信可能な第１のサーバ装置で実行可能なプログラムであって、
前記第１のサーバ装置を、
印刷を行うためのデータである印刷データを文書データに変換する変換手段と、
前記印刷データから、前記文書データのページを区分するための情報である区分情報を生成する区分情報生成手段
として機能させることを特徴とするプログラム。
【請求項１４】
印刷を行うためのデータである印刷データを文書データに変換する変換手段と、前記印刷データから、前記文書データのページを区分するための情報である区分情報を生成する区分情報生成手段とを備える第１のサーバ装置と通信可能な第２のサーバ装置であって、
前記変換手段で変換された前記文書データと、前記区分情報生成手段で生成された前記区分情報とを、前記第１のサーバ装置から取得する取得手段と、
前記区分情報生成手段で生成された前記区分情報に基づいて、前記取得手段で取得される前記文書データを複数に区分した文書データである区分データを生成する区分データ生成手段と
を備えることを特徴とする第２のサーバ装置。
【請求項１５】
印刷を行うためのデータである印刷データを文書データに変換する変換手段と、前記印刷データから、前記文書データのページを区分するための情報である区分情報を生成する区分情報生成手段とを備える第１のサーバ装置と通信可能な第２のサーバ装置の制御方法であって、
前記第２のサーバ装置の取得手段が、前記変換手段で変換された前記文書データと、前記区分情報生成手段で生成された前記区分情報とを、前記第１のサーバ装置から取得する取得ステップと、
前記第２のサーバ装置の区分データ生成手段が、前記区分情報生成手段で生成された前記区分情報に基づいて、前記取得ステップで取得される前記文書データを複数に区分した文書データである区分データを生成する区分データ生成ステップと
を備えることを特徴とする第２のサーバ装置の制御方法。
【請求項１６】
印刷を行うためのデータである印刷データを文書データに変換する変換手段と、前記印刷データから、前記文書データのページを区分するための情報である区分情報を生成する区分情報生成手段とを備える第１のサーバ装置と通信可能な第２のサーバ装置で実行可能なプログラムであって、
前記第２のサーバ装置を、
前記変換手段で変換された前記文書データと、前記区分情報生成手段で生成された前記区分情報とを、前記第１のサーバ装置から取得する取得手段と、
前記区分情報生成手段で生成された前記区分情報に基づいて、前記取得手段で取得される前記文書データを複数に区分した文書データである区分データを生成する区分データ生成手段
として機能させることを特徴とするプログラム。